(57)【要約】所在位置特定能力をもつ中継器が開示される。中継器は、中継器の位置を判断する所在位置特定装置を含む。所在位置特定装置は、個々に、または受信機によって受信された無線位置特定信号を使用して、中継器の位置を判断する。中継器の位置を使用して、基地局暦を更新することができる。
2006506033.tif 000002
【特許請求の範囲】
【請求項１】
受信機および送信機を含む中継器と、
中継器の位置を判断する所在位置特定装置とを含む機器。
【請求項２】
所在位置特定装置が、中継器と一体化されている請求項１記載の機器。
【請求項３】
所在位置特定装置が、中継器に接続されている請求項１記載の機器。
【請求項４】
所在位置特定装置が、外部接続によって中継器に接続されている請求項３記載の機器。
【請求項５】
所在位置特定装置が、ＧＰＳ受信機である請求項１記載の機器。
【請求項６】
所在位置特定装置が、移動局である請求項１記載の機器。
【請求項７】
所在位置特定装置が、受信機によって受信された無線位置特定信号に基づいて、中継器の位置を判断する請求項１記載の機器。
【請求項８】
所在位置特定装置が、所在位置特定装置によって受信された無線位置特定信号に基づいて、中継器の位置を判断する請求項１記載の機器。
【請求項９】
中継器の位置が、基地局暦を更新するために使用される請求項１記載の機器。
【請求項１０】
送信機が、中継器の位置を送信する請求項１記載の機器。
【請求項１１】
送信機が中継器の位置を外部装置へ送信し、基地局暦を更新する請求項１記載の機器。
【請求項１２】
外部装置が、基地局である請求項１１記載の機器。
【請求項１３】
外部装置が、基地局に接続されている請求項１１記載の機器。
【請求項１４】
基地局をさらに含む請求項１記載の機器。
【請求項１５】
基地局が、中継器から中継器の位置を受信する請求項１４記載の機器。
【請求項１６】
基地局が、中継器の位置を用いて基地局暦を更新する請求項１５記載の機器。
【請求項１７】
受信機および送信機が、信号を中継するのにも使用される請求項１記載の中継器。
【請求項１８】
受信機が受信した無線位置特定信号に基づいて、中継器の位置を判断する所在位置特定装置を含む受信機と、
中継器の位置を送信する送信機とを含む中継器。
【請求項１９】
受信機および送信機が、信号を中継するのにも使用される請求項１８記載の中継器。
【請求項２０】
送信機が中継器の位置を外部装置へ送信し、基地局暦を更新する請求項１８記載の中継器。
【請求項２１】
外部装置が、基地局である請求項２０記載の中継器。
【請求項２２】
信号を受信する受信機と、
所在位置特定装置によって受信される無線位置特定信号に基づいて、中継器の位置を判断する所在位置特定装置と、
受信信号と中継器の位置とを送信する送信機とを含む中継器。
【請求項２３】
受信機および送信機が、信号を中継するのに使用される請求項２２記載の中継器。
【請求項２４】
送信機が、中継器の位置を外部装置へ送信して、基地局暦を更新する請求項２２記載の中継器。
【請求項２５】
外部装置が、基地局である請求項２４記載の中継器。
【請求項２６】
外部装置が、基地局制御装置である請求項２４記載の中継器。
【請求項２７】
送信機が、中継器の位置を、記憶するために外部装置へ送信する請求項２２記載の中継器。
【請求項２８】
無線位置特定信号を受信する手段と、
無線位置特定信号に基づいて、中継器の位置を判断する手段と、
中継器の位置を送信する手段とを含む中継器。
【請求項２９】
信号を受信する受信機と、
所在位置特定装置によって受信される無線位置特定信号に基づいて、中継器の位置を判断する所在位置特定装置と、
中継器の位置を記憶する少なくとも1つのメモリ装置と、
少なくとも１つのメモリ装置から中継器の所在位置を検索するように構成されたプロセッサと、
受信信号と、プロセッサによって検索された中継器の位置とを送信する送信機とを含む中継器。
【請求項３０】
中継器の位置を中継器へ手動で入力する請求項２９記載の中継器。
【請求項３１】
中継器の位置を別の装置を介して中継器へ入力する請求項２９記載の中継器。
【請求項３２】
プロセッサが、照会に応答して、少なくとも1つのメモリ装置から中継器の位置を検索する請求項２９記載の中継器。
【請求項３３】
受信機および送信機が、信号を中継するのに使用される請求項２９記載の中継器。
【請求項３４】
中継器の位置を判断する所在位置特定装置と、中継器の位置を送信する送信機とを含む中継器と、
中継器の位置を受信する基地局とを含むシステム。
【請求項３５】
基地局が、中継器の位置を用いて基地局暦を更新する請求項３４記載のシステム。
【請求項３６】
基地局が、中継器の位置を別の装置へルート設定する請求項３４記載のシステム。
【請求項３７】
基地局が、中継器の位置について中継器に照会する請求項３４記載のシステム。
【請求項３８】
中継器の位置を判断する方法であって、
中継器内で無線位置特定信号を受信するステップと、
中継器内で受信した無線位置特定信号に基づいて、中継器の位置を判断するステップとを含む方法。
【請求項３９】
受信および判断ステップが、中継器によって行われる請求項３８記載の方法。
【請求項４０】
無線位置特定信号が、補助データを含む請求項３８記載の方法。
【請求項４１】
中継器の位置を伝送するステップをさらに含む請求項３８記載の方法。
【請求項４２】
中継器の位置が、中継器によって伝送される請求項４１記載の方法。
【請求項４３】
中継器の位置が、中継器によって照会に応答して伝送される請求項４１記載の方法。
【請求項４４】
中継器の位置が、中継器によって所定の時間間隔中に伝送される請求項４１記載の方法。
【請求項４５】
中継器の位置が、中継器によって最初の初期設定中に伝送される請求項４１記載の方法。
【請求項４６】
中継器の位置が、中継器によって自動的に伝送される請求項４１記載の方法。
【請求項４７】
中継器の位置が、基地局へ伝送される請求項４１記載の方法。
【請求項４８】
中継器の位置を用いて基地局暦を更新するステップをさらに含む請求項４１記載の方法。
【請求項４９】
中継器の位置を判断する方法であって、
無線位置特定信号を受信するステップと、
無線位置特定信号に基づいて中継器の位置を判断するステップと、
中継器の位置を送信するステップと、
中継器の位置を用いて基地局暦を更新するステップとを含む方法。
【請求項５０】
中継器の位置を更新する方法であって、
中継器の位置についての照会を受信するステップと、
中継器の位置を判断するステップと、
中継器の位置を送信するステップとを含む方法。
【請求項５１】
照会が、基地局によって送られる請求項５０記載の方法。
【請求項５２】
中継器の位置を中継器へ手動で入力する請求項５０記載の方法。
【請求項５３】
判断および送信ステップが、中継器によって行われる請求項５０記載の方法。
【請求項５４】
基地局暦を中継器の位置を用いて更新するステップをさらに含む請求項５０記載の方法。
【請求項５５】
中継器の位置を照会する方法であって、
中継器の位置についての照会を送るステップと、
中継器から位置を受信するステップとを含む方法。
【請求項５６】
照会が基地局によって送られる請求項５５記載の方法。
【請求項５７】
照会が移動局によって送られる請求項５５記載の方法。
【請求項５８】
照会が、所定の時間間隔に基づく請求項５５記載の方法。
【請求項５９】
照会が、性能基準に基づく請求項５５記載の方法。
【請求項６０】
照会が、新しい中継器の配備に基づく請求項５５記載の方法。
【請求項６１】
中継器の位置を記憶する方法であって、
中継器から中継器の位置を受信するステップと、
中継器の位置を記憶するステップとを含む方法。
【請求項６２】
照会に応答して、中継器の位置が中継器によって送られる請求項６１記載の方法。
【請求項６３】
中継器の位置が、中継器によって所定の時間間隔中に送られる請求項６１記載の方法。
【請求項６４】
中継器の位置が、中継器によって初期設定中に送られる請求項６１記載の方法。
【請求項６５】
中継器の位置が、中継器によって自動的に送られる請求項６１記載の方法。
【請求項６６】
受信ステップが、基地局が中継器の位置を受信することを含む請求項６１記載の方法。
【請求項６７】
位置を記憶するステップが、基地局内に中継器の位置を記憶することを含む請求項６１記載の方法。
【請求項６８】
位置を記憶するステップが、基地局暦を更新することを含む請求項６１記載の方法。
【発明の詳細な説明】
【技術分野】
【０００１】
関連出願の相互参照
本出願は、2002年11月8日に出願された米国仮出願第60/424,821号、および2002年12月23日に出願された米国仮出願第60/436,393号に対して優先権を主張している。
技術分野
本発明は、概ね、無線通信、とくに、中継器の位置を判断するための機器および方法に関する。
【背景技術】
【０００２】
無線通信システムは、基地局のサービス領域を拡張するために、中継器の使用を取り入れている。中継器は、移動加入者と基地局との間で送られる無線信号を増幅して、再伝送することによって、基地局の範囲を拡張する。
しかしながら、移動加入者が中継器を介して基地局と通信しているときに、ある特定の問題が発生する。とくに、中継器の使用は、無線通信システムが移動加入者の位置を判断する能力を損なう。これは、中継器を通る信号が、移動加入者から基地局へ直接に伝送される信号にはない遅延を受けることによる。
【０００３】
信号が基地局から直接に伝送されたか、または中継器を通って伝送されたかを受信機に判断させる手段をもたない中継器が配備されるので、三角測量または三辺測量に基づく所在位置特定方法を使用する所在位置特定システムは、受信機の位置を判断することができない。このような、受信信号が中継器を通ったかどうかを判断できないことにより、ハイブリッド無線支援型グローバルポジショニングシステム（Global Positioning System, GPS）のような他の所在位置特定技術も損われる。
【０００４】
例えば、ハイブリッド無線支援型ＧＰＳシステムは、少なくとも１つの衛星と、無線セルラ通信システムの基地局のような、少なくとも１つの地上送信局とからの情報の組合せを使用する。ハイブリッドシステムは、基地局からの信号を受信する移動加入者の位置を判断するために、基地局の定位置を含む支援データも使用する。移動局は、移動局自体と、その移動局が信号を受信している基地局との間の距離（または、場合によっては、相対距離）を判断する。移動局は、基地局からの信号を受信した時間を判断することによって、これを行う。この時間は、絶対到着時間か、または他の源から受信した他の信号に対してとられる相対到着時間かの何れかである。このような他の源は、例えば、地上局または衛星の何れかである。したがって、中継器によって生じる伝搬遅延を考慮に入れないならば、移動加入局の位置特定が損われる。
【発明の開示】
【発明が解決しようとする課題】
【０００５】
中継器の位置判断中に、その位置が分かり、考慮に入れることができるときは、伝搬遅延を克服することができる。したがって、中継器の位置を配備中または配備後に自動的に判断する方法により、この必要に対処する。
【課題を解決するための手段】
【０００６】
この開示は、中継器の位置を判断する機器および方法に関する。機器は、中継器と、中継器の位置を判断する所在位置特定装置とを含む。
第１の実施形態では、中継器は、信号を受信する受信機と、信号を送信する送信機とを含む。受信機および送信機は、信号を中継するのに使用することができる。所在位置特定装置は、中継器の位置を判断するために、中継器へ組み込まれる。所在位置特定装置は、１つ以上の装置から無線位置特定信号を個々に受信する。所在位置特定装置は、受信した無線位置特定信号の到着時間、または相対到着時間に基づいて、中継器の位置を判断する。少なくともいくつかの例では、無線位置特定信号は、ＧＰＳシステムのような、所在位置特定システムから伝送される。所在位置特定装置が中継器の位置を判断すると、中継器はその位置を記憶することができる。その代りに、装置は、その位置を、無線通信システムの内部または外部の別の装置へ伝送してもよい。例えば、中継器の位置は、基地局、基地局制御装置（base station controller, BSC）、移動交換局（mobile switching center, MSC）、または他の同様の装置のような、通信装置へ伝送することができる。中継器の位置は、種々の目的に使用することができる。例えば、いくつかのセルラ通信システムの基地局は、“基地局暦”を保持し、この中には、基地局付近の中継器の位置が記憶されている。したがって、このような基地局暦内に記憶されている中継器の位置は、中継器内の所在位置特定装置によって判断された位置特定情報を使用して更新される。
【０００７】
第２の実施形態では、中継器は、受信機と送信機とを含む。所在位置特定装置は、受信機から独立しているのではなく、受信機に組み込まれている。この実施形態では、受信機は、グローバルポジショニングシステム（ＧＰＳ）のような所在位置特定システムから、無線位置特定信号を受信する。所在位置特定装置は、受信機によって受信される無線位置特定信号に基づいて、中継器の位置を判断する。所在位置特定装置は、受信機に組み込まれ、完全な所在位置特定の解として動作する。所在位置特定装置が、中継器の位置を判断すると、中継器は、その位置を記憶することができる。その代りに、中継器は、その位置を、無線通信システムの内部または外部にある別の装置へ伝送してもよい。中継器の位置は、基地局暦の更新のような、種々の目的に使用することができる。
【０００８】
第３の実施形態では、中継器は、受信機および送信機を含む。所在位置特定装置は、外部接続によって中継器へ接続される。この実施形態では、所在位置特定装置は、中継器から独立していて、外部接続を介して中継器と通信する。外部接続は、所在位置特定装置が中継器とデータを送受信できるようにする接続である。外部接続は、ワイヤーラインであっても、無線であってもよい。この実施形態では、所在位置特定装置は、無線位置特定信号を受信する。受信した無線位置特定信号に基づいて、所在位置特定装置は、中継器の位置を判断する。１つの実行で、所在位置特定装置は、外部接続を介して中継器へ位置を伝える。所在位置特定装置が中継器の位置を判断すると、中継器は位置を記憶することができる。その代りに、所在位置特定装置は、無線通信システムの内部または外部にある別の装置へ位置を伝送してもよい。中継器の位置は、基地局暦の更新のような、種々の目的に使用することができる。
【０００９】
第４の実施形態では、中継器は、受信機、送信機、さらに加えて、プロセッサ、およびメモリ装置を含む。この実施形態では、所在位置特定装置を、中継器または受信機に組み込むことができる。その代りに、所在位置特定装置を、外部接続を介して中継器へ接続してもよい。１つまたは複数のプロセッサが、メモリ装置からデータを処理、記憶、および検索することができる。メモリ装置はプロセッサに接続され、情報を検索し、記憶する能力を得る。メモリ装置は、情報を記憶し、供給する装置である。例えば、メモリ装置は、次に示すメモリ装置、すなわち、ＲＡＭ、ＣＤ−ＲＯＭ、ＤＶＤ、ＥＥＰＲＯＭ、フラッシュメモリ、フロッピーディスク（登録商標）、ハードドライブ、磁気媒体、または他の記憶媒体の１つ以上であってもよいが、これらに限定されない。例えば、メモリ装置は、ＲＡＭおよびハードドライブを含むことができる。プロセッサおよびメモリ装置は、中継器の位置を与え、中継器によって記憶される。その代りに、その位置を別の装置へ伝えてもよい。
【００１０】
開示された主題は、図面を参照することにより、より良く理解することができる。図中の構成要素は、必ずしも基準化されていないが、その代りに、開示される主題の原理を示すことに重点が置かれている。さらに加えて、図において、同じ参照符号は、異なる図面全体を通しての、対応する部分を示している。
【発明を実施するための最良の形態】
【００１１】
図１は、中継器102、基地局104、基地局制御装置（ＢＳＣ）106、移動交換局（ＭＳＣ）108、通信ネットワーク110、衛星112Aないし112D、および通信装置114を含む無線通信システム100を示す。中継器102は、基地局104、衛星112Aないし112D、および通信装置114と通信する。
【００１２】
１つの実行では、中継器102は、衛星112Aないし112Dから無線位置特定信号を受信する。中継器102は、衛星112Aないし112Dから受信した無線位置特定信号に基づいて、その位置を判断する。中継器102は、衛星112Aないし112Dから受信した無線位置特定信号と、中継器102が無線通信システム100から受信した補助データとに基づいて、その位置を判断することもできる。中継器102は、判断された位置を、基地局104か、あるいは無線通信システム100の内部または外部に位置する他の装置へ伝送する。
【００１３】
ベーストランシーバサブシステム（base transceiver subsystem, BTS）としても知られている基地局104は、中継器102の位置を、中継器102自体から受信することができる。基地局104は、中継器102の位置を記憶するか、または基地局暦（base station almanac, BSA）を、中継器102の位置を用いて更新することができる。基地局104は、中継器102の位置を、基地局制御装置106へルート設定することもできる。次に、基地局制御装置106は、中継器102の位置を移動交換局108へルート設定する。移動交換局108は、中継器102の位置を通信ネットワーク110へルート設定することができる。
【００１４】
基地局104、基地局制御装置106、移動交換局108、または通信ネットワーク110は、別々に、または組合せで、基地局暦を、中継器102の位置を用いて更新することができる。さらに加えて、これらの装置は、基地局暦の更新以外のために、中継器102の位置を記憶することもできる。
【００１５】
基地局暦は、無線通信システム100の何れかの部分に関する情報を保持している。例えば、基地局暦は、基地局、または基地局の受信可能領域内の中継器に関する情報を含むことができる。基地局暦内の情報は、放送情報、アンテナパターン、電力レベル、および位置特定情報を含むことができるが、これらに限定されない。
【００１６】
基地局暦は、無線通信システム100の内部または外部の装置によってアクセスまたは更新することができる。基地局暦は、ディスクリートなデータ、ファイル、またはデータベースのような、電子またはディジタルフォーマット内にあってもよい。基地局暦は、メモリ、ＲＡＭ、ＣＤ−ＲＯＭ、ＤＶＤ、ＥＥＰＲＯＭ、フラッシュメモリ、フロッピーディスク（登録商標）、ハードドライブ、磁気媒体、または他の記憶媒体のような記憶媒体上に記憶することができる。基地局暦は、無線通信システム100の内部または外部にある装置内にあってもよい。例えば、基地局暦は、基地局104、基地局制御装置106、移動交換局108、または通信装置114に含まれるメモリ内にあってもよい。
【００１７】
基地局104は、中継器102を使用しない他の装置から、無線信号を受信することができる。基地局制御装置106は、基地局104のような多数の基地局を管理し、通信する。基地局制御装置106は、呼の処理を行う移動交換局108とも通信する。
移動交換局108は、呼の処理およびルート設定、並びに無線通信システム100の内部または外部の他の装置とのインターフェイシングを取扱う。したがって、移動交換局108は、他のネットワークへの相互接続を与えることもある。例えば、移動交換局108は、通信ネットワーク110に通信上で接続される。通信ネットワーク110は、無線ネットワーク、公衆交換電話ネットワーク（public switched telephone network, PSTN）、ローカル電話ネットワーク、長距離電話ネットワーク、衛星ネットワーク、ＩＳＤＮ、ＡＴＭ、ＧＳＭ、ＧＳＰＲ、クライアントサーバシステム、およびインターネットを含むことがきるが、これらに限定されない。
【００１８】
衛星112Aないし112Dは、例示的に示されていて、特定数の衛星に限定されない。衛星112Aないし112Dは、中継器102へ無線位置特定信号を送る１つ以上の衛星の何れかの組合せで実行することができる。衛星112Aないし112Dは、グローバルポジショニングシステム（ＧＰＳ）のような、1つ以上の所在位置特定システムからであってもよい。
【００１９】
通信装置114は、中継器102または基地局104と通信する装置、例えば、移動電話、パーソナルディジタルアシスタント（personal digital assistant, PDA）、無線装置、ラップトップ、またはコンピュータである。１つの実行では、通信装置114は、信号を中継器102へ伝送する。中継器102は、信号を増幅して、基地局104へ再伝送する。基地局104は、信号を基地局制御装置106、および呼を処理およびルート設定するための移動交換局108へルート設定する。
【００２０】
図２は、中継器200および所在位置特定装置206を含む第１の実施形態を示している。中継器200は、信号を受信するための受信機202と、信号を送信するための送信機204とを含む。
中継器200は、通信装置、基地局、衛星、および無線通信システム100の内部または外部にある他の装置と信号を送受信するのに使用される追加の構成要素を含んでもよい。例えば、中継器200は、電源と共に、信号を送受信するアンテナを含む。追加の構成要素の実行および使用は、当業者には分かっているので、これらの追加の構成要素をさらに詳しく記載および検討をしない。
【００２１】
受信機202は、無線通信システム100の内部または外部の装置から信号を受信する装置である。例えば、受信機202は、通信装置114、基地局104、衛星112Aないし112D、または他の同様の装置から信号を受信することができる。
送信機204は、信号を中継器200から送信する装置である。１つの実行では、送信機204は、受信機202が受信した信号を送信することができる。したがって、受信機202および送信機204を使用して、受信信号を中継することができる。送信機204を使用して、中継器200または所在位置特定装置206から他の装置へ情報を送信することもできる。例えば、情報は、中継器200の位置、中継器の構成／状態、またはネットワーク状態情報であってもよい。別の実行では、受信機202および送信機204は、トランシーバとして一体化することができる。
【００２２】
所在位置特定装置206は、中継器200の位置を判断する。この実施形態では、図２に示されているように、所在位置特定装置206は、中継器200と一体化されている。所在位置特定装置206は、１つ以上の装置からの無線位置特定信号を個々に受信する。例えば、所在位置特定装置206は、衛星112Aないし112Dから無線位置特定信号を受信することができる。無線位置特定信号は、自由空間を通って伝搬することができる電磁信号である。さらに加えて、無線位置特定信号を使用して、物体の位置を判断する補助データを与えることができる。無線位置特定信号は、衛星または地上送信機によって送信され、受信機を位置特定する以外に使用される信号を含むことが分かるであろう。例えば、民間の放送ＦＭ無線局によって伝送される信号は、このような信号の到着時間が、受信機を位置特定するのに使用されるとき、無線位置特定信号として考えることができる。所在位置特定装置206は、受信した無線位置特定信号を使用して、中継器の位置を判断する。所在位置特定装置206は、グローバルポジショニングシステム（ＧＰＳ）のような異なる所在位置特定システムを使用して、位置を判断することができる。位置は、要求に応じて、所定の時間間隔中に、基準に基づいて、照会に応答して、自動的に、中継器の初期設定中に、中継器の電力投入中に、中継器の最初の配備中に、自己初期設定中に、または同様のやり方で判断することができる。したがって、中継器200は、その位置を更新する判断処理を個々に初期設定することができる。
【００２３】
所在位置特定装置206は、中継器の位置を判断する装置である。１つの実行では、所在位置特定装置206は、ＧＰＳ受信機であり、ＧＰＳ衛星の配列内の少なくとも１つの衛星から無線位置特定信号を受信して、中継器の位置を判断する。
別の実行では、所在位置特定装置206は、ハイブリッド無線支援型ＧＰＳを使用するＧＰＳ受信機である。この実行では、所在位置特定装置206は、少なくとも１つの衛星からの無線位置特定信号と、無線通信システム100からの補助データとを受信し、中継器の位置を判断する。補助データは、基地局、または中継器200の位置を判断するのを助ける他の装置の定位置を含んでもよい。補助データは、中継器200によって供給されることもある。中継器200は、中継器200の位置を判断するのを助ける補助データを供給する構成要素を組み込んでもよい。例えば、中継器200は、組み込み型の高度計を含んでもよい。室内の配備のような、ある特定の中継器の構成において、高度計は、中継器が置かれているフロアを判断するのを助けることができる。
【００２４】
別の実行では、所在位置特定装置206は、無線装置である。無線装置は、セルラ電話、移動電話、コンピュータ、ラップトップ、またはパーソナルディジタルアシスタント（ＰＤＡ）、または同様の装置であってもよいが、これらに限定されない。
所在位置特定装置206が中継器200の位置を判断すると、中継器200は、位置を記憶するか、または無線通信システム100の内部または外部にある装置へ位置を伝送することができる。例えば、中継器の位置は、通信装置114、基地局104、基地局制御装置（ＢＳＣ）106、移動交換局（ＭＳＣ）108、または同様の関連の装置へ伝送することができる。中継器200の位置は、基地局暦の更新のような、種々の目的に使用することができる。
【００２５】
図３は、中継器200および所在位置特定装置206を含む第２の実施形態を示す。この第２の実施形態では、中継器200は、第１の実施形態と同様に、受信機202および送信機204を含んでいるが、所在位置特定装置206は、図２に示されているように受信機202から独立しているのではなく、受信機202に組み込まれている。
【００２６】
この実施形態では、受信機202は、無線位置特定信号を受信し、所在位置特定装置206は、受信機202が受信した無線位置特定信号に基づいて、中継器202の位置を判断する。受信機202は、ＧＰＳシステムのような所在位置特定システムから、無線位置特定信号を受信する。例えば、受信機202は、衛星112Aないし112Dから無線位置特定信号を受信する。所在位置特定装置206は、受信機202に組み込まれ、完全な所在位置特定の解として動作する。
【００２７】
１つの実行では、受信機202および所在位置特定装置206は、集積回路（integrated circuit, IC）、特定用途向け集積回路（application specific integrated chip, ASIC）、または他の半導体装置内に一緒に組み込まれる。別の実行では、受信機202、送信機204、および所在位置特定装置206が、集積回路（ＩＣ）、特定用途向け集積回路（ＡＳＩＣ）、または他の半導体装置内に一緒に組み込まれる。
【００２８】
受信機202は、無線通信システム100の内部または外部の装置からも信号を受信する。例えば、受信機202は、通信装置114、基地局104、衛星112Aないし112D、または同様の装置から信号を受信することができる。これらの信号は、例えば、移動加入者によって、無線通信システム100上で一般に通信される音声およびデータ情報を含むことができる。
【００２９】
送信機204は、受信機202が受信した信号を再送信する。したがって、受信機202および送信機204は、受信信号を中継するのに使用される。送信機204は、情報を中継器200から送信するのにも使用することができる。例えば、送信機204は、中継器の位置を、無線通信システム100の内部または外部にある装置へ送信することができる。
【００３０】
所在位置特定装置206が中継器の位置を判断すると、中継器200は、位置を記憶するか、または無線通信システム100の内部または外部の装置へ位置を伝送することができる。例えば、中継器の位置は、通信装置114、基地局104、基地局制御装置（ＢＳＣ）106、移動交換局（ＭＳＣ）108、または同様の関連の装置へ伝送することができる。中継器の位置は、基地局暦の更新のような、種々の目的に使用することができる。
【００３１】
図４は、中継器200および所在位置特定装置206を含む第３の実施形態を示している。この第３の実施形態では、中継器200は、第１および第２の実施形態のように、受信機202および送信機204を含むが、所在位置特定装置206は、外部接続400を介して中継器に接続されている。
【００３２】
この実施形態では、所在位置特定装置206は、中継器200から独立していて、外部接続400を介して中継器200と通信する。外部接続400は、所在位置特定装置206が中継器200とデータを送受信できるようにする接続である。外部接続400は、ワイヤーラインであっても、または無線であってもよい。
【００３３】
ワイヤーラインの実行では、ワイヤーライン接続は、ケーブル、ワイヤー、イーサネット（登録商標）ケーブル、光ファイバ、同軸、ネットワーク、または同様のワイヤーライン接続であってもよいが、これらに限定する必要はない。無線の実行では、無線接続は、ブルトゥース、無線アクセスプロトコル（Wireless Access Protocol, WAP）、802.11b、光、赤外線、ＣＤＭＡ，ＴＤＭＡ、ＧＳＭ、または同様の無線接続によって行なうことができるが、これらに限定できない。
【００３４】
この実施形態では、所在位置特定装置206は、無線位置特定信号を受信し、無線位置特定信号に基づいて、中継器200の位置を判断する。１つの実行では、所在位置特定装置206は、中継器200の位置を判断すると、外部接続400を介して中継器200へ位置を伝える。中継器200は、位置を記憶するか、または無線通信システム100の内部または外部にある装置へ位置を伝えることができる。例えば、中継器200の位置を、通信装置114、基地局104、基地局制御装置（ＢＳＣ）106、移動交換局（ＭＳＣ）108、または同様の関連の装置へ伝送することができる。中継器200の位置を、基地局暦の更新のような、種々の目的に使用することができる。
【００３５】
別の実行では、所在位置特定装置206は、中継器200の位置を外部装置へ伝える。例えば、所在位置特定装置206は、無線またはワイヤーライン接続によって、中継器の位置を、通信装置114、基地局104、基地局制御装置（ＢＳＣ）106、移動交換局（ＭＳＣ）108、通信ネットワーク110、または他の同様の関連の装置へ伝えることができる。
【００３６】
図５は、中継器200および所在位置特定装置206を含む第４の実施形態を示しており、図２ないし４と比較すると、同じ素子が、同じ識別番号で参照されている。第４の実施形態では、中継器200は、第１ないし第３の実施形態と同様に、受信機202および送信機204を含み、さらに加えて、プロセッサ500およびメモリ装置502を含む。
【００３７】
この実施形態では、所在位置特定装置206は、点線によって示されているように、図２および３に詳しく記載されているように、中継器200または受信機202と一体化されていても、または図４に詳しく記載されているように、外部接続400を介して中継器200へ接続されていてもよい。プロセッサ500は、メモリ装置502からのデータを処理し、記憶し、検索する1つ以上のプロセッサを含むことができる。
【００３８】
メモリ装置502は、プロセッサ500に接続され、情報を記憶する能力を得る。メモリ装置502は、情報を記憶し、供給する装置である。例えば、メモリ装置502は、メモリ、ＲＡＭ、ＣＤ−ＲＯＭ、ＤＶＤ、ＥＥＰＲＯＭ、フラッシュメモリ、フロッピーディスク（登録商標）、ハードドライブ、磁気媒体、または他の記憶媒体であってもよいが、これらに限定されない。メモリ装置502は、中継器200の構成に依存して、１つ以上のメモリ装置であってもよい。例えば、メモリ装置502は、ＲＡＭおよびハードドライブの両者を含むことができる。プロセッサ500およびメモリ装置502は、中継器200の位置を与え、中継器200自体によって記憶される。
【００３９】
中継器200の構成に依存して、中継器200の位置は、手動で、または自動的に、あるいはこの両者で判断することができる。１つの実行では、中継器200の位置は、中継器200へ手動で入力される。例えば、フィールドサービス担当者は、中継器200の位置を手動で入力する。手入力処理は、キーボード、無線、ネットワーク、または他の入力方法のような、よく知られているデータ入力方法によって行うことができる。
【００４０】
別の実行では、中継器200の位置は、装置によって中継器200へ入力される。中継器200は、中継器200の位置の入力を可能にするか、または情報を与える装置と通信する。中継器200は、ワイヤーライン接続または無線接続によって、他の装置と通信することができる。ワイヤーラインの実行では、ワイヤーライン接続は、ケーブル、ワイヤー、イーサネット（登録商標）ケーブル、光ファイバ、同軸、ネットワーク、または同様のワイヤーライン接続であってもよいが、これらに限定されない。無線の実行では、無線接続は、ブルトゥース、無線アクセスプロトコル（ＷＡＰ）、802.11b、光、赤外線、ＣＤＭＡ，ＴＤＭＡ、ＧＳＭ、または同様の無線接続によって行うことができるが、これらに限定されない。中継器200および他の装置が通信するための通信媒体として、インターネットも使用することできる。
【００４１】
例えば、通信装置114は、中継器200の位置を与える中継器200と通信する。プロセッサ500は、位置特定情報を受信して、中継器200の位置をメモリ装置502に記憶する。プロセッサ500は、通信装置114が処理または更新するために、中継器200の記憶位置も検索することができる。
【００４２】
別の実行では、所在位置特定装置206は、中継器200の位置を自動的に判断する。所在位置特定装置206は、基準に基づいて中継器200の位置を動的に判断することができる。所在位置特定装置206が中継器200の位置を判断すると、プロセッサ500は、中継器200の位置をメモリ装置502に記憶することができる。したがって、プロセッサ500は、中継器200の位置を、中継器200が使用するために、メモリ装置502から検索することができる。プロセッサ500は、メモリ装置502から、中継器200の位置を検索し、中継器200の位置を外部装置へ通信することもできる。例えば、照会に応答して、プロセッサ500は、メモリ502から中継器200の位置を検索し、その位置を外部装置へ伝える。外部装置は、無線通信システム100の内部または外部にある装置、例えば、通信装置114、基地局104、衛星112Aないし112D、遠隔コンピュータ、ネットワーク、または同様の装置である。
【００４３】
図６は、中継器200の位置を判断する方法を示すフローチャートである。方法は、ブロック600において、無線位置特定信号を受信することから始まる。ブロック602において、中継器200の位置は、受信した無線位置特定信号に基づいて判断される。
【００４４】
１つの実行では、中継器200は、無線位置特定信号を受信し、所在位置特定装置206は、無線位置特定信号に基づいて、中継器200の位置を判断する。別の実行では、所在位置特定装置206は、無線位置特定信号を受信して、無線位置特定信号に基づいて、中継器200の位置を判断する。図２ないし５において詳しく記載されているように、方法は、中継器200、受信機202、および所在位置特定装置206の種々の実施形態および構成を使用して実行される。
【００４５】
図６の方法は、点線によって示されたブロック604およびブロック606をさらに含んでもよい。ブロック604において、方法は、中継器200が、中継器200の位置を伝送することをさらに含んでもよい。中継器200は、照会に応答して、所定の時間間隔中に、動的に判断される時間間隔中に、最初の初期設定中に、初期配備中に、自動的に、性能基準に基づいて、または他の所定の基準で、中継器200の位置を伝送することができる。
【００４６】
ブロック606において、方法は、基地局暦を、中継器200の位置を用いて更新することをさらに含んでもよい。図１を参照すると、基地局104、基地局制御装置106、移動交換局108、通信ネットワーク110、または同様の装置は、別々に、または組合せで、基地局暦を、中継器200の位置を用いて更新することができる。基地局暦は、無線通信装置100の内部または外部にある装置によってアクセスし、更新することができる。
【００４７】
例えば、基地局104は、中継器200から中継器200の位置を受信する。基地局104は、基地局に記憶されている基地局暦を、中継器200の位置を用いて更新する。別の例では、基地局104は、中継器200から中継器200の位置を受信する。基地局104は、別の装置に、その装置内に記憶されている基地局暦を、中継器200の位置を用いて更新することを伝える。
【００４８】
図７は、中継器200の位置を更新する方法を示すフローチャートである。方法は、ブロック700において、中継器200が、中継器200の位置についての照会を受信することから始まる。
照会は、無線通信システム100の内部または外部にある装置によって送られる。例えば、基地局104、基地局制御装置106、移動交換局108、通信ネットワーク110、通信装置114、および同様の装置は、照会を中継器200へ送ることができる。照会は、所定の時間間隔で、動的に判断される時間間隔中に、初期設定中に、初期配備中に、自動的に、性能基準に基づいて、または他の所定の基準で送ることができる。
【００４９】
ブロック702において、中継器200は、中継器200の位置を判断する。所在位置特定装置206と中継器200とを含む構成に依存して、所在位置特定装置206は、中継器200の位置を判断する。
ブロック704において、中継器200は、中継器200の位置判断を伝送する。中継器200の位置は、無線通信システム100の内部または外部にある装置によって受信される。例えば、中継器200の位置は、基地局104、基地局制御装置106、移動交換局108、通信ネットワーク110、通信装置114、または同様の装置によって受信される。
【００５０】
図８は、中継器200の位置を照会する方法を示すフローチャートである。方法は、ブロック800において、中継器200の位置についての照会が、中継器200へ送られることから始まる。中継器200は、中継器200の位置についての照会を受信し、中継器200の位置を判断する。
【００５１】
照会は、無線通信システム100の内部または外部にある装置によって送られる。例えば、照会は、基地局104、基地局制御装置106、移動交換局108、通信ネットワーク110、通信装置114、および同様の装置によって送られる。照会は、所定の時間間隔で、動的に判断される時間間隔中に、初期設定中に、初期配備中に、自動的に、性能基準に基づいて、または他の所定の基準で送られる。
【００５２】
ブロック802において、中継器200から中継器200の位置を受信する。中継器200の位置は、無線通信システム100の内部または外部にある装置によって受信される。例えば、中継器200の位置は、基地局104、基地局制御装置106、移動交換局108、通信ネットワーク110、通信装置114、または同様の装置によって受信される。
【００５３】
図９は、中継器200の位置を記憶する方法を示すフローチャートである。方法は、ブロック900において、中継器200から中継器200の位置を受信することから始まる。
中継器200は、照会に応答して、中継器200の位置を、所定の時間間隔中に、動的に判断される時間間隔中に、最初の初期設定中に、初期配備中に、自動的に、性能基準に基づいて、または他の所定の基準で送る。
【００５４】
ブロック902において、中継器200の位置を記憶する。基地局104、基地局制御装置106、移動交換局108、通信ネットワーク110、通信装置114、または同様の装置が、中継器200の位置を受信し、記憶することができる。記憶された中継器の位置は、基地局暦を更新することを含めて、種々の目的に使用することができる。基地局暦は、中継器200の位置を受信し、記憶する前に、その後で、またはそれと同時に更新することができる。
【００５５】
１つの実行では、中継器200は、中継器200の位置を移動局104へ伝送する。基地局104は、中継器200の位置を受信し、基地局104内に位置を記憶する。基地局104は、記憶された中継器の位置を使用して、基地局104または別の装置内に記憶されている基地局暦を更新する。
【００５６】
開示された主題についての種々の実施形態を記載したが、当業者には、この開示された主題の技術的範囲内の、より多くの実施形態および実行が可能であることが明らかであろう。
【図面の簡単な説明】
【００５７】
【図１】中継器を使用する無線通信システムを示すブロック図。
【図２】第１の実施形態における中継器および所在位置特定装置のブロック図。
【図３】第２の実施形態における中継器および所在位置特定装置のブロック図。
【図４】第３の実施形態における中継器および所在位置特定装置のブロック図。
【図５】第４の実施形態における中継器および所在位置特定装置のブロック図。
【図６】中継器の位置を判断する方法を示すフローチャート。
【図７】中継器の位置を更新する方法を示すフローチャート。
【図８】中継器の位置を照会する方法を示すフローチャート。
【図９】中継器の位置を記憶する方法を示すフローチャート。
【符号の説明】
【００５８】
100・・・無線通信システム、400・・・外部接続。
【図１】
2006506033.tif 000003
【図２】
2006506033.tif 000004
【図３】
2006506033.tif 000005
【図４】
2006506033.tif 000006
【図５】
2006506033.tif 000007
【図６】
2006506033.tif 000008
【図７】
2006506033.tif 000009
【図８】
2006506033.tif 000010
【図９】
2006506033.tif 000011
【国際調査報告】
2006506033.tif 000012
2006506033.tif 000013
2006506033.tif 000014